(57)【要約】【課題】表示や意匠の変更が容易であり、多様な表示や装飾効果を発現させ得る容器を提供する。【解決手段】第１の筒状体２に第２の筒状体３が内装されており、第１の筒状体２と第２の筒状体３との間に、模様７が表示された模様シート４が挿入されており、第２の筒状体３の開口３ａに蓋体５が貼り付けられており、蓋体５の表面に、上面に模様８が付与された装飾部材６が接合部材９を介して取り付けられている、容器１。【選択図】図２
2016159949.tif 000002
【特許請求の範囲】
【請求項１】
上端に開口を有する有底の第１の筒状体と、
前記第１の筒状体内に内折されており、上端に開口を有する有底の第２の筒状体と、
前記第１の筒状体と前記第２の筒状体との間に挿入されており、前記第２の筒状体の外周側面の少なくとも一部に設けられており、外表面に模様が付与された模様シートと、
前記第２の筒状体の上端の開口に挿入された蓋体と、
前記蓋体の表面に配置されており、かつ上面に模様が施された装飾部材と、
前記装飾部材を前記蓋体の表面に着脱自在に結合している接合部材とを備える、容器。
【請求項２】
前記蓋体が、前記第２の筒状体の前記開口に圧入される環状突出部を有する、請求項１に記載の容器。
【請求項３】
前記装飾部材が、円板状の第１の部材と、
前記第１の部材と対向するように、かつ前記第１の部材の外周縁を巻き込むように第１の部材に固定されている、円板状の第１の部材と、
前記第２の部材の表面に積層されており、周縁部が前記第１の部材の外周縁と前記第２の部材の外周縁との間に狭持されるようにして、前記第１及び第２の部材に取り付けられている模様台紙とを備える、請求項１または２に記載の容器。
【請求項４】
前記第１及び第２の部材が金属板の加工品からなる、請求項３に記載の容器。
【請求項５】
前記第１の筒状体が透明である、請求項１〜４のいずれか１項に記載の容器。
【発明の詳細な説明】
【技術分野】
【０００１】
本発明は、筒状の容器に関し、特に、側面及び上面に模様を付与し得る容器に関する。
【背景技術】
【０００２】
従来、小物等を収納するのに、様々な容器が用いられている。例えば下記の特許文献１には、円筒状の容器の一例が開示されている。特許文献１に記載の容器では、上端に開口を有する円筒状の筒状体に、該開口を閉成する蓋材が取り付けられている。
【先行技術文献】
【特許文献】
【０００３】
【特許文献１】特開２００４−２４４０７７号公報
【発明の概要】
【発明が解決しようとする課題】
【０００４】
特許文献１に記載のような従来の容器では、筒状本体の外周面に、装飾効果を発揮する模様が印刷されたり、あるいは内容物を示す情報が印刷されたりしている。また、印刷に替えて、模様や情報が表示された粘着シールや粘着シートを筒状本体の外周側面に貼り付けることもあった。従って、容器により表示される模様が固定されており、かつ表示の多様化も困難であった。
【０００５】
本発明の目的は、様々な模様を表示でき、かつ表示内容を容易に変更することができる容器を提供することにある。
【課題を解決するための手段】
【０００６】
本発明によれば、上端に開口を有する有底の第１の筒状体と、前記第１の筒状体内に内折されており、上端に開口を有する有底の第２の筒状体と、前記第１の筒状体と前記第２の筒状体との間に挿入されており、前記第２の筒状体の外周側面の少なくとも一部に設けられており、外表面に模様が付与された模様シートと、前記第２の筒状体の上端の開口に挿入された蓋体と、前記蓋体の表面に配置されており、かつ上面に模様が施された装飾部材と、前記装飾部材を前記蓋体の表面に着脱自在に結合している接合部材とを備える容器が提供される。
【０００７】
本発明に係る容器のある特定の局面では、前記蓋体が、前記第２の筒状体の前記開口に圧入される環状突出部を有する。
【０００８】
本発明に係る容器の他の特定の局面では、前記装飾部材が、円板状の第１の部材と、前記第１の部材と対向するように、かつ前記第１の部材の外周縁を巻き込むように第１の部材に固定されている、円板状の第１の部材と、前記第２の部材の表面に積層されており、周縁部が前記第１の部材の外周縁と前記第２の部材の外周縁との間に狭持されるようにして、前記第１及び第２の部材に取り付けられている模様台紙とが備えられている。
【０００９】
本発明に係る容器の別の特定の局面では、前記第１及び第２の部材が金属板の加工品からなる。
【００１０】
本発明に係る容器の他の特定の局面では、前記第１の筒状体が透明である。この場合には、第１の筒状体を通して、第１の筒状体の内側の模様シートの表面に付与された模様や情報を容易に外部から観察することができる。
【発明の効果】
【００１１】
本発明に係る容器によれば、第１の筒状体と第２の筒状体との間に挿入された模様シートと、蓋体の表面に配置された装飾部材とにより、より多くの模様を表すことができる。また、上記模様シートや装飾部材を容易に変更可能であるため、模様の変更にも容易に対応することができる。よって、使用者が独自の模様を表すことも容易となる。
【図面の簡単な説明】
【００１２】
【図１】図１は、本発明の第１の実施形態に係る容器の斜視図である。
【図２】図２は、本発明の第２の実施形態に係る容器の分解斜視図である。
【図３】図３は、本発明の第１の実施形態の容器で用いられている装飾部材の正面断面図である。
【図４】図４は、本発明の第１の実施形態で用いられている蓋体を示す正面断面図である。
【発明を実施するための形態】
【００１３】
以下、図面を参照しつつ、本発明の具体的な実施形態を説明することにより、本発明を明らかにする。
【００１４】
図１は、本発明の第１の実施形態に係る容器の斜視図であり、図２はその分解斜視図である。
【００１５】
図１及び図２に示すように、容器１は円筒状の第１の筒状体２と、円筒状の第２の筒状体３とを有する。第１及び第２の筒状体２，３は、上端に開口２ａ，３ａを有する有底の筒状体である。
【００１６】
第２の筒状体３は、第１の筒状体２に内挿されている。従って、第１の筒状体２の内径に比べて、第２の筒状体３の外径が小さくされている。
【００１７】
上記第１の筒状体２は、合成樹脂からなる。もっとも、合成樹脂以外の材料を用いてもよい。第１の筒状体２は、本実施形態では透明である。もっとも、透明ではなく半透明であってもよい。
【００１８】
第２の筒状体３は、合成樹脂からなる。もっとも、金属やガラスにより形成されていてもよい。第２の筒状体３は、透明であってもよく、非透明であってもよい。
【００１９】
第１の筒状体２と、第２の筒状体３との間に、模様シート４が挿入されている。模様シート４は、外表面に「ＡＢＣ」で示されている模様７を有する。この模様７は、装飾効果を発揮する模様であってもよく、あるいは内容物を示す情報等であってもよい。従って模様７は、「ＡＢＣ」で示すような文字に限らず、写真等であってもよい。
【００２０】
上記模様７は、模様シート４の外表面に印刷されていてもよく、あるいは外表面に粘着シールを貼り付けることにより形成してもよい。すなわち、模様シート４の外表面に模様７が付与される限り、この模様７の付与方法は特に限定されない。
【００２１】
上記模様シート４は、紙からなる。もっとも、紙以外の材料、例えば合成樹脂フィルムや金属箔を用いてもよい。
【００２２】
上記模様シート４は、本実施形態では、図２に示すように筒状の形状である。もっとも、模様シート４は、第２の筒状体３の外周面の周方向全長に渡って設けられる必要は必ずしもない。すなわち、第２の筒状体３の外周面の一部領域と、第１の筒状体２との間に、模様シート４が設けられていてもよい。
【００２３】
蓋体５は、円板状の形状を有する。図４に示すように、蓋体５は、円板状の蓋体本体５ａを有する。蓋体本体５ａ上に、接合部材９が固定されている。接合部材９は本実施形態では、磁石からなる。
【００２４】
蓋体本体５ａの外周縁から下方に伸びるように、環状突出部５ｂが設けられている。環状突出部５ｂは、図２に示した第２の筒状体３の開口３ａに圧入されるように設けられている。従って、図２に示すように、模様シート４を第１の筒状体２と第２の筒状体３との間に挿入するようにして、第２の筒状体３を第１の筒状体２内に挿入する。しかる後、上記蓋体５の環状突出部５ｂを第２の筒状体３の開口３ａに圧入することにより、容器１内を封止することができる。
【００２５】
なお、蓋体５の環状突出部５ｂの一部を切り欠いた突出部を設けてもよい。また、複数の突出部を設け、第２の筒状容器３の開口３ａに圧入し得るように構成してもよい。
【００２６】
上記蓋体５は、合成樹脂からなる。もっとも、蓋体５は金属等の他の保形性材料により構成されてもよい。蓋体５の蓋体本体５ａの上面に装飾部材６が着脱自在に固定されている。
【００２７】
装飾部材６の上面には「ＸＹＺ」で示す模様８が表示されている。従って、前述した模様７と模様８との双方により、内容物の情報を表示したり、装飾効果を発現させたりすることができる。
【００２８】
この模様８は、「ＸＹＺ」のような文字に限らず、模様７と同様に、絵柄や写真等により構成されてもよい。
【００２９】
上記装飾部材６は、本実施形態では、図３に示すように、第１の部材６ａと、第２の部材６ｂと、模様台紙６ｃとを有する。第１の部材６ａ及び第２の部材６ｂは、いずれも、金属板からなり、円板状の形状を有する。もっとも、第１の部材６ａと第２の部材６ｂとは、模様台紙６ｃの外周縁を抱き込むようにして、一体化されている。このような構造は、いわゆる紙巻バッジと称されている周知のバッジと同様の構造である。
【００３０】
上記模様台紙６ｃは、図１及び図２に示した模様８を表示し得る適宜の材料からなる。このような材料としては、紙、合成樹脂シート、布等を挙げることが出来る。
【００３１】
なお、本実施形態では、上記装飾部材６は、いわゆる紙巻バッジと同様の構造を有しており、第１の部材６ａは金属板からなる。他方、上記接合部材９が磁石からなるため、装飾部材６は容易に着脱し得る。よって模様８を変更したい場合には、他の模様が表示された装飾部材６を蓋体５上に固定すればよい。
【００３２】
また、前述した模様シート４についても、第２の筒状体３と第１の筒状体２との間から取り外し、模様シート４を容易に変更することができる。
【００３３】
よって、本実施形態の容器１では、模様７，８の双方により様々な情報を表示させたり、多様な装飾効果を発現させることができる。加えて、模様７及び８を容易に変更することができる。よって、容器１の使用者は、模様７及び模様８としてオリジナルな絵柄や情報等を用いることができる。従って、量産品では得られない、独自の表示や意匠効果を発現させることができる。
【００３４】
なお、上記接合部材９として磁石を用いたが、磁石に替えて、再剥離性粘着剤を用いてもよい。その場合においても、装飾部材６を剥離し、再度貼付することができる。従って、上記実施形態と同様に、装飾部材６を容易に変更することができる。
【符号の説明】
【００３５】
１…容器
２…第１の筒状体
３…第２の筒状体
２ａ，３ａ…開口
４…模様シート
５…蓋体
５ａ…蓋体本体
５ｂ…環状突出部
６…装飾部材
６ａ…第１の部材
６ｂ…第２の部材
６ｃ…模様台紙
７，８…模様
９…接合部材
【図１】
2016159949.tif 000003
【図２】
2016159949.tif 000004
【図３】
2016159949.tif 000005
【図４】
2016159949.tif 000006